(57)【特許請求の範囲】
【請求項１】
通常姿勢に対して第１の方向及び第２の方向に回動可能な作動レバーと、
作動レバーの回動に伴って回動する回動シャフトと、
回動シャフトと一体で回動する第１回動要素と、
回動シャフトに対して回転自在に外装されていると共に、前記第１回動要素が第１の方向に回転した時にのみ前記第１回動要素と係止して当該第１回動要素と一体で第１の方向に回動する第２回動要素と
第２回動要素と連結されており、当該第２回動要素の第１の方向の回動に連動して回動する回動レバーと、
回動レバーの回動により回数をカウントするカウンタと、
を備え、
前記第１回動要素は第１突部、前記第２回動要素は第２突部、を備えており、前記第１回動要素の第１の方向への回動時には、前記第１回動要素の前記第１突部が前記第２回動要素の前記第２突部と当接係止して当該第１回動要素と当該第２回動要素が一体で第１の方向に回動し、前記第１回動要素の第２の方向への回動時には前記第１回動要素の前記第１突部は前記第２回動要素の前記第２突部から離間することで当該第１回動要素の第２の方向への回動は当該第２回動要素に伝達されず、
前記作動レバーが第１の方向に回動した時には、当該作動レバーの回動は、第１の方向に回動する回動シャフト、一体で第１の方向に回動する第１回動要素と第２回動要素を介して前記回動レバーに伝達されて回数のカウントが行われ、
前記作動レバーが第２の方向に回動した時には、当該作動レバーの回動は、前記回動レバーには伝達されず回数のカウントは行われない、
扉体の開閉計数装置。
【請求項２】
前記第１回動要素と前記第２回動要素の係止は、前記第１回動要素の前記第１突部と、前記第２回動要素の前記第２突部と、が面当接することで係止するものである、請求項１に記載の扉体の開閉計数装置。
【請求項３】
前記第１回動要素には、前記作動レバーの通常姿勢を維持するための第１バネ要素が備わっている、請求項１、２いずれかに記載の扉体の開閉計数装置。
【請求項４】
前記第２回動要素には、当該第２回動要素の振れを抑制するための第２バネ要素が備わっている、請求項１〜３いずれか１項に記載の扉体の開閉計数装置。
【請求項５】
前記第２回動要素と前記回動レバーとは第３バネ要素を介して連結されている、請求項１〜４いずれか１項に記載の扉体の開閉計数装置。
【発明の詳細な説明】
【技術分野】
【０００１】
本発明は、建物開口部を開閉する扉体の開閉回数をカウントする開閉計数装置に係り、典型的にはオーバーヘッドドアにおける扉の開閉回数をカウントする開閉計数装置に関するものである。 
【背景技術】
【０００２】
オーバーヘッドドア等の開閉扉では、製品としての機能および安全性を確保する上で、開閉回数を目安として点検保守を行ったり耐久性を管理している。特に手動式の開閉扉では、開閉計数装置を用いて扉体の開閉回数を計数している。
【０００３】
開閉計数装置として、市販の汎用カウンタを用いることも検討できるが、汎用カウンタは、必ずしも、開閉扉（例えば、オーバーヘッドドア）に要求される耐衝撃、使用温度（−１０〜４０℃）、カウント誤差（±１％以下）等の条件を満たすことができないという問題がある。
【０００４】
特許文献１には、オーバーヘッドドアの開閉計数装置が開示されているが、開閉計数装置を構成する各要素についての具体的な開示はない。
【特許文献１】特開２００５−１０７９２７
【発明の開示】
【発明が解決しようとする課題】
【０００５】
本発明は、扉体の開閉回数をカウントするのに適する構成を備えた開閉計数装置を提供することを目的とするものである。
【課題を解決するための手段】
【０００６】
本発明が採用した技術手段は、
通常姿勢に対して第１の方向及び第２の方向に回動可能な作動レバーと、
作動レバーの回動に伴って回動する回動シャフトと、
回動シャフトと一体で回動する第１回動要素と、
回動シャフトに対して回転自在に外装されていると共に、前記第１回動要素が第１の方向に回転した時にのみ前記第１回動要素と係止して当該第１回動要素と一体で第１の方向に回動する第２回動要素と、
第２回動要素と連結されており、当該第２回動要素の第１の方向の回動に連動して回動する回動レバーと、
回動レバーの回動により回数をカウントするカウンタと、
を備え、
作動レバーが第１の方向に回動した時には、当該作動レバーの回動は、回動シャフト、第１回動要素、第２回動要素を介して回動レバーに伝達されて回数のカウントが行われ、
作動レバーが第２の方向に回動した時には、当該作動レバーの回動は、回動レバーには伝達されず回数のカウントは行われない、扉体の開閉計数装置、である。
開閉計数装置は、扉体あるいは扉体が開閉する建物開口部を形成する躯体のいずれか一方に設けられ、他方には開閉計数装置の作動レバーが接触する被接触部が設けられる。後述する実施形態では、開閉計数装置は扉体に設けられ、被接触部がガイドレールに設けられているが、開閉計数装置をガイドレールに設け、被接触部を扉体に設けるようにしてもよい。また、後述する実施形態では、開閉計数装置の作動レバーは、扉体の開放時に第１の方向に回動するものであるが、扉体の閉鎖時に作動レバーが第１の方向に回動するように構成してもよい。
【０００７】
一つの態様では、前記第１回動要素と前記第２回動要素の係止は、面部同士が当接することで係止するものである。
より具体的な態様例では、前記第１回動要素と前記第２回動要素は、それぞれ、回動シャフトの長さ方向に突出する突部を備えており、突部の面部同士が当接するようにしている。
【０００８】
一つの態様では、前記第１回動要素には、前記作動レバーの通常姿勢を維持するための第１バネ要素が備わっている。
より具体的な態様例では、前記作動レバーの通常姿勢は水平姿勢であるが、通常姿勢は水平姿勢に限定されるものではなく、本発明が適用される扉装置の構成等によっては、通常姿勢が傾斜姿勢、垂直姿勢であってもよい。
【０００９】
一つの態様では、前記第２回動要素には、当該第２回動要素の振れを抑制するための第２バネ要素が備わっている。
【００１０】
一つの態様では、前記第２回動要素と前記回動レバーとは第３バネ要素を介して連結されている。
【発明の効果】
【００１１】
本発明では、作動レバーの回動を、２つの独立した要素、すなわち、第１回動要素と第２回動要素を介してカウンタの回動レバーに伝達するようにしたので、作動レバーが第１の方向に回動した時にのみ回数をカウントし、作動レバーが第２の方向に回動した時の反動による回数の誤カウントを確実に防止することができる。
【００１２】
第１回動要素と第２回動要素の係止が、面部同士が当接することで係止するものでは、温度によって第１回動要素と第２回動要素の寸法が変化した場合であっても、面部同士の当接部位の範囲が変化するのみで、開閉計数装置の計数動作に影響を与えることがない。
【００１３】
第１回動要素に、作動レバーの通常姿勢を維持するための第１バネ要素が備わっているものでは、扉体の開閉時に外力が作用することで第１の方向あるいは第２の方向に回動した作動レバーは当該外力が取り除かれた後は自動的に通常姿勢に復帰し、次回の計数動作を良好に行うことができる。
【００１４】
第２回動要素に、当該第２回動要素の振れを抑制するための第２バネ要素が備わっているものでは、第２回動要素が扉体の開閉による加速度を受けた時に、第２回動要素の自重で当該第２回動要素が第１の方向に回動して回動レバーを回動させて誤カウントすることを防止することができる。
【００１５】
第２回動要素と回動レバーとを第３バネ要素を介して連結したものでは、回動レバーが大きく回動してカウンタへ一定以上の負荷・変位がかかることを防止し、開閉計数装置（カウンタ）の耐久性を向上させることができる。
【図面の簡単な説明】
【００１６】
【図１】全閉姿勢にあるオーバーヘッドドアの正面図である。
【図２】全閉姿勢にあるオーバーヘッドドアの側面図である。
【図３】（Ａ）は下から２段目のパネル２及び対応するガイドレール１の正面図を示しており、（Ｂ）は下から２段目のパネルの側面図、（Ｃ）は図３（Ａ）の部分拡大図である。
【図４】開閉計数装置の内部を示す図である。
【図５】開閉計数装置の内部を示す図である。
【図６】開閉計数装置の内部を示す図である。
【図７】開閉計数装置の平面図である。
【図８】（Ａ）は第１回動要素、（Ｂ）は第１バネ要素、（Ｃ）は第２回動要素、（Ｄ）は第２バネ要素、（Ｅ）は回動シャフト、を示す図である。
【図９】第１支持部材、第２支持部材を示す図である。
【発明を実施するための形態】
【００１７】
本発明の実施の形態をオーバーヘッドドアの開閉計数装置に基づいて説明する。図１、図２は全閉姿勢にあるオーバーヘッドドアの正面図、側面図であり、オーバーヘッドドアは、建物開口部の左右に立設したガイドレール１と、複数枚のパネル２を丁番３を介して上下方向に互いに回動可能に連結して構成された扉体と、を備えている。各パネル２の幅方向の両端部にはガイドローラ２０が設けてあり、ガイドローラ２０がガイドレール１内を転動することで、扉体の左右両端部がガイドレール１に沿って昇降案内されて開口部を開閉する。ガイドレール１の上方部位は後方に向かって湾曲し、さらに天井面に沿って略水平状に延びており、ガイドレール１は開口部の高さ方向に延びる垂直状部１Ａと、湾曲部１Ｂと、水平状部１Ｃとからなる。開口部全閉時には扉体はガイドレール１の垂直状部１Ａに位置することで垂直姿勢にあり、この状態から扉体が水平状部１Ｃに位置する水平姿勢まで引き上げられて開口部が開放される。
【００１８】
実施形態のオーバーヘッドドアは手動で開閉される手動式オーバーヘッドドアである。開口部の上方には、バランスプリング４を備えた回転軸５が配設されており、回転軸５の両端部に軸支したドラム５０に一端をそれぞれ固定した巻き取りワイヤ（図示せず）の他端を、最下位のパネル２の左右両端にそれぞれ接続して、バランススプリング４の巻き上げ方向の付勢力により扉体を開放方向（上方）に付勢するように構成されている。
【００１９】
図３（Ａ）は、下から２段目のパネル２及び対応するガイドレール１の正面図を示しており、図３（Ｂ）は下から２段目のパネルの側面図、図３（Ｃ）は図３（Ａ）の部分拡大図である。パネル２の幅方向の一端側の面部には開閉計数装置６が設けてある。開閉計数装置６はガイドレール１側に向かって水平状に延びる針状の作動レバー６０を備えている。開閉計数装置６が取り付けられるパネル２は下から２段目のパネル２に限定されるものではなく、他のパネル２に開閉計数装置６を設けてもよい。
【００２０】
ガイドレール１には、扉体が全閉姿勢にある時に、下から２段目のパネル２に設けた開閉計数装置６の作動レバー６０の先端側の直上に位置するように被接触体７が設けてある。被接触体７は、傾斜状の下側ガイド部７０と、傾斜状の上側ガイド部７１と、下側ガイド部７０と上側ガイド部７１の間に形成された係止部７２と、を備えている。全閉姿勢にある扉体が上動すると、パネル２に設けた開閉計数装置６の作動レバー６０が下側ガイド部７０に接触しながら係止部７２に案内され、係止部７２に係止して下方に回動して開閉回数が１回分カウントされる。実施形態では、扉体側に開閉計数装置６を設け、躯体側（ガイドレール１）に被接触体７を設けたが、これとは反対に、躯体側に開閉計数装置を設け、扉体側に被接触体を設けてもよい。また、実施形態では、扉体の上昇時に開閉回数をカウントするようにしたが、扉体の下降時に開閉回数をカウントするようにしてもよい。また、図３（Ａ）では、開閉計数装置６をパネル２の右側端部に取り付けているが、本実施形態に係る開閉計数装置６は同じ構成要素（具体的には、後述する作動レバー６０、第２回動要素６３、回動レバー６７の向きを変えるだけで）を用いて左右勝手違いにパネル２の左側端部に取り付けることができる。
【００２１】
開閉計数装置６の構成について説明する。開閉計数装置６は、作動レバー６０と、作動レバー６０の回動支軸となる回動シャフト６１と、回動シャフト６１と一体で回動するように回動シャフト６１に外装された第１回動要素６２と、回動シャフト６１の回転から独立するように回動シャフト６１に回転自在に外装された第２回動要素６３と、作動レバー６０が通常姿勢（水平姿勢）を維持するように第１回動要素６２を付勢するための第１バネ要素６４と、第２回動要素６３の振れを抑制するための第２バネ要素６５と、カウンタ６６と、カウンタ６６に回数を加算するための回動レバー６７と、第２回動要素６３と回動レバー６７とを連結する第３バネ要素６８と、を備えている。
【００２２】
開閉計数装置６のこれらの構成要素は、２つの支持部材８、９に支持されている。図９に示すように、支持部材８は、立ち上がり状の側辺８０、下辺８１、上辺８２から側面視コ字状に形成されており、支持部材９は、立ち上がり状の側辺９０、下辺９１から側面視Ｌ字状に形成されている。支持部材８と支持部材９は、側辺８０、９０同士が間隔を存して対向するようにして下辺８１、９１の部分を重ね合わせて螺子で固定されている。尚、実施形態では、２つの部材から支持部材を形成したが、支持部材を一部材から一体形成してもよい。
【００２３】
側辺８０、９０には同じ高さに位置して回動シャフト６１を回転可能に支持する受孔８００、９００が形成されており、側辺８０、９０間に回動シャフトが水平状に回転可能に支持される。側辺８０、９０の間の空間において、側辺８０から側辺９０に向かって、回動シャフト６１上には、第１回動要素６２、第１バネ要素６４、第２回動要素６３、第２バネ要素６５が外装されている。第１支持部材８の上辺８２にはカウンタ６６が設けてある（図４参照）。
【００２４】
支持部材９の側辺９０は、支持部材８の側辺８０よりも大きい高さを備えており、支持部材９の側辺９０の上半部の一部を切り欠いて支持部材８側に折り曲げることで水平状の係止片９２が形成されている。また、支持部材９の側辺９０の下方部位の一部を切り欠いて支持部材８側に折り曲げることで水平状の係止片９３が形成されている。
【００２５】
支持部材８、９及び個々の構成要素（作動レバー６０を除く）は、箱形状のケーシング６Ａに内装される。支持部材８、９の一部がケーシングの一部を構成してもよい。以下に、個々の構成要素について詳細に説明する。
【００２６】
作動レバー６０は針状の細長部材であり、基端部は回動シャフト６１の一端に固定されており、作動レバー６０と回動シャフト６１は一体で回転するようになっている。作動レバー６０は、外力が作用しない通常時では水平姿勢（通常姿勢）が維持されている。作動レバー６０は水平姿勢に対して第１の方向（下方）、第２の方向（上方）に回動可能となっている。
【００２７】
回動シャフト６１は断面視円形状の円柱部材であるが、回動シャフト６１の長さ方向の中間部位には、断面視六角形状の嵌合部６１０が形成されている（図８（Ｅ））。したがって、回動シャフト６１の断面形状は、長さ方向において、中間部位が六角形と、その両側部位が円形となっている。
【００２８】
図８（Ａ）に示すように、第１回動要素６２は、回動シャフト６１に直交する方向に延びる略方形で板状の本体６２０と、本体６２０の略中央部位から本体６２０に対して垂直状（回動シャフト６１の延びる方向）に互いに反対方向に延びる長尺の第１筒状部６２１、短尺の第２筒状部６２２と、本体６２０から第２筒状部６２２と同じ側に突出する３つの突部６２３、６２４、６２５と、からなる。突部６２３は、第２筒状部６２２の上方に位置して本体６２０の上辺の中央から突成されており、突部６２４、６２５は、本体６２０の下方の角部（下辺の両端部）にそれぞれ位置して突成されている。図示の態様では、本体６２０からの突出寸法は、突部６２４及び６２５＞突部６２３＞短尺の第２筒状部６２２となっている。典型的には、第１回動要素６２は樹脂製である。
【００２９】
第１筒状部６２１と第２筒状部６２２の内部空間は連通していると共に、内部空間の断面形状は六角形となっており、第１筒状部６２１、第２筒状部６２２を貫通する回動シャフト６１の嵌合部６１０が第１筒状部６２１、第２筒状部６２２の内面に嵌合することで、回動シャフト６１と第１回動要素６２は一体で回転するようになっている。図４に示すように、回動シャフト６１の嵌合部６１０の一端側が、側辺８０（受孔８００の周壁）の内壁に近接ないし当接しており、回動シャフト６１の他端側（作動レバー６０が固定された側と反対側）は側辺９０（受孔９００の周壁）の内壁に近接ないし当接している。このようにすることで、回動シャフト６１の長さ方向の移動が規制されている。回動シャフト６１と第１回動要素６２を一体で回転させるための構成は、実施形態のように断面同士を多角形状に形成して嵌合するものに限定されず、例えば、螺子等の止着部材で第１回動要素６２を回動シャフト６１に固定するものでもよい。
【００３０】
図８（Ｃ）に示すように、第２回動要素６３は、回動シャフト６１に直交する方向に延びる長尺で板状の本体６３０と、本体６３０の一端側において本体６３０の両側に突成した突部６３１と、本体６３０の他端側の上側部位に形成したフック部６３２と、突部６３１に近い側に本体６３０の両側に位置して形成した短筒部６３３と、からなり、短筒部６３３の内部空間が回動シャフト６１の挿通孔となっている。第２回動要素６３は回動シャフト６１に対して回転自在に外装されている。すなわち、第２回動要素６３は回動シャフト６１の回動から独立しており、回動シャフト６１の回転は直接には第２回動要素６３に伝達されない。典型的には、第２回動要素６３は樹脂製である。
【００３１】
図４に示すように、第１回動要素６２の突部６２４は、第２回動要素６３の突部６３１の下方に位置しており、第１回動要素６２が第１の方向に回動して突部６２４が上動すると、突部６２４が下方から上方に向かって突部６３１に当接して係止し、突部６３１を押し上げて上方に移動させ、第２回動要素６３が回動シャフト６１上を第１の方向に回動する。第１回動要素６２と第２回動要素６３は、突部６２４、突部６３１の厚み（突出寸法）を利用して面部同士が当接するようにしているので、温度変化によって突部６２４、突部６３１の厚み（突出寸法）が変化しても、第１回動要素６２と第２回動要素６３の係止を確保することができる。
【００３２】
カウンタ６６は、回動レバー６７が第１の方向（下方）に所定角度以上回動した時に回数１をカウントするものであり、回動レバー６７が第２の方向（上方）に回動した時には回数のカウントは行われない。このように回動レバーの一方向の回動時にのみカウントを行うカウンタ自体は周知である。作動レバー６０が第１の方向に回動した時には、回動シャフト６１、第１回動要素６２が第１の方向に回動し、第１の方向に回動する第１回動要素６２と係止（突部６２４が突部６３１に当接することで）した第２回動要素６３も第１の方向に回動して、回動レバー６７が第１の方向（下方）に回動して、回数のカウントが行われる。作動レバー６０が第２の方向に回動した時には、回動シャフト６１、第１回動要素６２が第２の方向に回動するものの、第２の方向に回動する第１回動要素６２（突部６２４）は第２回動要素６３（突部６３１）から離間する方向に変位するため、作動レバー６０の回動は、第２回動要素６２、回動レバー６７には伝達されず回数のカウントは行われない。
【００３３】
図８（Ｂ）に示すように、第１バネ要素６４は、線状部材を巻回して形成したコイル部６４０と、コイル部６４０を形成する線状部材の両端部からなる足部６４１と、からなる。第１バネ要素６４は、コイル部６４０を第１回動要素６２の第２筒状部６２２に外装した状態で、２本の足部６４１は第１回動要素６２の突部６２３の両側を通って係止片９２の両側に位置している。第１バネ要素６４のコイル部６４０と第２回動要素６３の一方の短筒部６３３との間にはワッシャ６４Ａが外嵌されている（図４）。
【００３４】
作動レバー６０が水平姿勢（通常姿勢）から第１の方向あるいは第２の方向に回動した場合には、回動シャフト６１、第１回動要素６２が第１の方向あるいは第２の方向に回動するが、その時に第１バネ要素６４に回動方向と反対方向の力が蓄積される。したがって、第１の方向あるいは第２の方向に回動した作動レバー６０が自由となった時には、第１バネ要素６４の付勢力によって作動レバー６０は水平姿勢（通常姿勢）に復帰するようになっている。作動レバー６０（第１回動要素６２）の微小な回動は第１バネ要素６４によって吸収されるので微小な回動が回動レバー６７に伝達されて誤カウントされることがなく、また、作動レバー６０（第１回動要素６２）が大きく回動した場合であっても、作動レバー６０（第１回動要素６２）は第１バネ要素６４によって迅速に通常姿勢に復帰するため誤カウント（例えばダブルカウント）が防止される。
【００３５】
図８（Ｄ）に示すように、第２バネ要素６５は、線状部材を巻回して形成したコイル部６５０と、コイル部６５０を形成する線状部材の両端部からなる足部６５１と、からなる。第２バネ要素６５は、コイル部６５０を第２回動要素６３の他方の筒状部６３３に外装した状態で、２本の足部６５１の一方は、第２回動要素６３の突部６３１の上部に係止しており、他方は、係止片９３に係止している。第２バネ要素６５は、第２回動要素６３の振れ・揺動を抑制する働きがある。したがって、第２回動要素６３に第２回動要素６３を回動させるような加速度が作用したとしても、第２バネ要素６５がこの加速度を吸収するため、第２回動要素６５が扉体の開閉による加速度及び自重で作動して回動レバー６７を回動させてカウンタ６６が誤って回数をカウントすることを防止している。
【００３６】
このように構成されたオーバーヘッドドアの開閉計数装置６において、全閉姿勢にある扉体を上昇させて開口部を開放する時に、下から２段目のパネル２に設けられた開閉計数装置６はパネル２の上昇と共に上昇して行き、水平状に延びる作動レバー６０がガイドレール１に設けた被接触体７の下側ガイド部７０に接触して少し下方（第１の方向）に回動した姿勢で係止部７２に案内され、パネル２と共に上昇する作動レバー６０の先端が係止部７２に係止することで、作動レバー６０が大きく第１の方向（下方）に回動する。この時、作動レバー６０の回動によって、回動シャフト６１、第１回動要素６２が第１の方向に回動し、第１の方向に回動する第１回動要素６２と係止（突部６２４が突部６３１に当接することで）した第２回動要素６３も第１の方向に回動して、回動レバー６７が第１の方向（下方）に所定角度回動して、回数のカウントが行われる。作動レバー６０がさらにパネル２と共に上昇すると、作動レバー６０の先端と係止部７２との係止が外れて、第１の方向に回動した作動レバー６０が第１バネ要素６４の付勢力によって上側ガイド部７１を倣いながら、水平姿勢（通常姿勢）に復帰する。このように全閉姿勢にある扉体の開放が行われる毎にカウント数を１つ増加させる計数動作を行う。
【００３７】
全開姿勢にある扉体を下降させて開口部を閉鎖する時に、パネル２の下降と共に下降する作動レバー６０が被接触体７の高さ位置に来ると、作動レバー６０の先端が上側ガイド部７１に接触して少し上方（第２の方向）に回動した姿勢で下方に案内され、第２の方向に回動した作動レバー６０が第１バネ要素６４の付勢力によって下側ガイド部７０を倣いながら、水平姿勢（通常姿勢）に復帰する。
【産業上の利用可能性】
【００３８】
本発明は、オーバーヘッドドアの開閉計数装置として利用することができる。
【符号の説明】
【００３９】
１  ガイドレール
２  パネル
６  開閉計数装置
６０  作動レバー
６１  回動シャフト
６２  第１回動要素
６３  第２回動要素
６４  第１バネ要素
６５  第２バネ要素
６６  カウンタ
６７  回動レバー
６８  第３バネ要素
【図１】
0005695850.tif 000002
【図２】
0005695850.tif 000003
【図３】
0005695850.tif 000004
【図４】
0005695850.tif 000005
【図５】
0005695850.tif 000006
【図６】
0005695850.tif 000007
【図７】
0005695850.tif 000008
【図８】
0005695850.tif 000009
【図９】
0005695850.tif 000010